(57)【要約】  ハンドル付き化粧用パフ１は、化粧用パフ２と、化粧用パフ２を保持するハンドル部３と、化粧用パフ２を交換可能にするための機構（挟み込み機構１２）とを備える。
2020027255.tif 000002
【特許請求の範囲】
【請求項１】
化粧用パフと、
前記化粧用パフを保持するハンドル部と、
前記化粧用パフを交換可能にするための機構とを備えるハンドル付き化粧用パフ。
【請求項２】
前記化粧用パフは、袋状の塗布部と、前記塗布部の中芯とを備え、
前記化粧用パフを交換可能にするための機構は、前記ハンドル部上の面を用いて、前記塗布部を挟み込む挟み込み機構を含むことを特徴とする請求項１に記載のハンドル付き化粧用パフ。
【請求項３】
前記塗布部の袋内に挿入される板状部をさらに備え、前記挟み込み機構は、前記ハンドル部上の面と、前記板状部とで、前記塗布部を挟み込むことを特徴とする請求項２に記載のハンドル付き化粧用パフ。
【請求項４】
前記板状部は、前記化粧用パフを前記ハンドル部に固定するためのパフ固定板の一部であり、
前記パフ固定板と前記ハンドル部とは、これらを接続するための係合構造を有することを特徴とする請求項３に記載のハンドル付き化粧用パフ。
【請求項５】
前記パフ固定板と係合可能なハンドル蓋部をさらに備え、
前記ハンドル部は、その底面に穴部を有し、
前記ハンドル蓋部は、前記ハンドル部の底面の穴部に嵌入可能であり、
前記ハンドル蓋部が、前記穴部に嵌入されて前記パフ固定板と係合されている時に、前記ハンドル部の奥方向にさらに押し込まれると、前記挟み込み機構による前記塗布部の挟み込みが解除されることを特徴とする請求項４に記載のハンドル付き化粧用パフ。
【請求項６】
前記ハンドル蓋部が、前記穴部に嵌入されて前記パフ固定板と係合されている時に、前記ハンドル部の奥方向にさらに押し込まれると、前記係合構造による前記パフ固定板と前記ハンドル部との係合が解除されて、前記挟み込み機構による前記塗布部の挟み込みが解除されることを特徴とする請求項５に記載のハンドル付き化粧用パフ。
【請求項７】
前記ハンドル部の上面の外形の面積が、前記化粧用パフの外形の面積よりも小さいことを特徴とする請求項１乃至請求項６のいずれか一項に記載のハンドル付き化粧用パフ。
【請求項８】
前記化粧用パフの少なくとも一端が、尖った形状であることを特徴とする請求項１乃至請求項７のいずれか一項に記載のハンドル付き化粧用パフ。
【請求項９】
前記化粧用パフを覆うキャップ部をさらに備えることを特徴とする請求項１乃至請求項８のいずれか一項に記載のハンドル付き化粧用パフ。
【請求項１０】
前記キャップ部は、前記化粧用パフの上面を覆う上側キャップと、前記化粧用パフの下面を覆う下側キャップとを備えることを特徴とする請求項９に記載のハンドル付き化粧用パフ。
【請求項１１】
前記化粧用パフは、袋状の塗布部と、前記塗布部の中芯とを備え、
前記キャップ部は、前記塗布部の上面における第一上面部、及び前記塗布部の下面における第一下面部を覆う第一のキャップと、前記塗布部の上面における前記第一上面部以外の面である第二上面部、及び前記塗布部の下面における前記第一下面部以外の面である第二下面部を覆う第二のキャップとを備えることを特徴とする請求項９に記載のハンドル付き化粧用パフ。
【請求項１２】
化粧用パフと、前記化粧用パフを保持するハンドル部と、前記化粧用パフを交換可能にするための機構とを備えるハンドル付き化粧用パフに用いられる交換用パフ。
【請求項１３】
袋状の塗布部と前記塗布部の中芯とを備える化粧用パフと、前記化粧用パフを保持するハンドル部と、前記化粧用パフを交換可能にするための機構とを備えるハンドル付き化粧用パフに用いられる交換用塗布部。
【発明の詳細な説明】
【技術分野】
【０００１】
本発明は、ハンドル付き化粧用パフ、ハンドル付き化粧用パフに用いられる交換用パフ、及びハンドル付き化粧用パフに用いられる交換用塗布部に関する。
【背景技術】
【０００２】
従来から、化粧料を顔等に塗布するための化粧用パフが、広く普及している。この化粧用パフにおいて、塗布面と明確に区別されたクビレ部を有し、ユーザが、化粧料の塗布時に、上記のクビレ部を保持する（持つ）ことにより、ユーザの手が汚れにくく、手に安定して保持することができる（持ち易い）ようにしたものが知られている（例えば、特許文献１参照）。【０００３】
また、化粧用パフにおいて、シート状のスポンジが複数枚剥離可能に積層されており、ユーザが、使用する度に、スポンジを剥離することで、常に新しい塗布面を使用できるようにしたものが知られている（例えば、特許文献２参照）。上記の積層された各スポンジの裏面には、付着物の滲出を防止するためのプラスチックフィルム等の滲出防止手段が設けられている。この化粧用パフによれば、剥離可能なスポンジが残っているうちは、前回使用時に付着した化粧料が内部に残存することを防止して、塗布面を常に清潔な状態に維持することができる。
【先行技術文献】
【特許文献】
【０００４】
【特許文献１】特開２０１５−１８８５７７号公報
【特許文献２】特開２０００−２８７７４７号公報
【発明の概要】
【発明が解決しようとする課題】
【０００５】
しかしながら、上記特許文献１に記載された化粧用パフでは、化粧料の塗布時にユーザが保持するハンドル部（クビレ部及び胴張り部）と、塗布部とが、一体に形成されているので、塗布部を交換することができない。このため、使用した回数が増える度に、塗布部が汚れてくるし、塗布部に雑菌が繁殖して衛生的にも問題が生じる。また、上記特許文献２に記載された化粧用パフでは、化粧料の塗布時に持ちにくく、しかも、剥離可能なスポンジ枚数に限界がある。【０００６】
本発明は、上記課題を解決するものであり、化粧料の塗布時に、手が汚れにくくて持ち易く、しかも、塗布面を常に清潔な状態に維持することが可能なハンドル付き化粧用パフを提供することを目的とする。
【課題を解決するための手段】
【０００７】
上記課題を解決するために、本発明の第1の態様によるハンドル付き化粧用パフは、化粧用パフと、前記化粧用パフを保持するハンドル部と、前記化粧用パフを交換可能にするための機構とを備えるものである。【０００８】
このハンドル付き化粧用パフにおいて、前記化粧用パフは、袋状の塗布部と、前記塗布部の中芯とを備え、前記化粧用パフを交換可能にするための機構は、前記ハンドル部上の面を用いて、前記塗布部を挟み込む挟み込み機構を含むことが望ましい。【０００９】
このハンドル付き化粧用パフにおいて、前記塗布部の袋内に挿入される板状部をさらに備え、前記挟み込み機構は、前記ハンドル部上の面と、前記板状部とで、前記塗布部を挟み込むことが望ましい。【００１０】
このハンドル付き化粧用パフにおいて、前記板状部は、前記化粧用パフを前記ハンドル部に固定するためのパフ固定板の一部であり、前記パフ固定板と前記ハンドル部とは、これらを接続するための係合構造を有することが望ましい。【００１１】
このハンドル付き化粧用パフにおいて、前記パフ固定板と係合可能なハンドル蓋部をさらに備え、前記ハンドル部は、その底面に穴部を有し、前記ハンドル蓋部は、前記ハンドル部の底面の穴部に嵌入可能であり、前記ハンドル蓋部が、前記穴部に嵌入されて前記パフ固定板と係合されている時に、前記ハンドル部の奥方向にさらに押し込まれると、前記挟み込み機構による前記塗布部の挟み込みが解除されるようにしてもよい。【００１２】
このハンドル付き化粧用パフにおいて、前記ハンドル蓋部が、前記穴部に嵌入されて前記パフ固定板と係合されている時に、前記ハンドル部の奥方向にさらに押し込まれると、前記係合構造による前記パフ固定板と前記ハンドル部との係合構造が解除されて、前記挟み込み機構による前記塗布部の挟み込みが解除されるようにしてもよい。【００１３】
このハンドル付き化粧用パフにおいて、前記ハンドル部の上面の外形の面積を、前記化粧用パフの外形の面積よりも小さくしてもよい。【００１４】
このハンドル付き化粧用パフにおいて、前記化粧用パフの少なくとも一端が、尖った形状であることが望ましい。【００１５】
このハンドル付き化粧用パフにおいて、前記化粧用パフを覆うキャップ部をさらに備えることが望ましい。【００１６】
このハンドル付き化粧用パフにおいて、前記キャップ部は、前記化粧用パフの上面を覆う上側キャップと、前記化粧用パフの下面を覆う下側キャップとを備えてもよい。【００１７】
このハンドル付き化粧用パフにおいて、前記化粧用パフは、袋状の塗布部と、前記塗布部の中芯とを備え、前記キャップ部は、前記塗布部の上面における第一上面部、及び前記塗布部の下面における第一下面部を覆う第一のキャップと、前記塗布部の上面における前記第一上面部以外の面である第二上面部、及び前記塗布部の下面における前記第一下面部以外の面である第二下面部を覆う第二のキャップとを備えてもよい。【００１８】
本発明の第２の態様による交換用パフは、化粧用パフと、前記化粧用パフを保持するハンドル部と、前記化粧用パフを交換可能にするための機構とを備えるハンドル付き化粧用パフに用いられる交換用パフである。【００１９】
本発明の第３の態様による交換用塗布部は、袋状の塗布部と前記塗布部の中芯とを備える化粧用パフと、前記化粧用パフを保持するハンドル部と、前記化粧用パフを交換可能にするための機構とを備えるハンドル付き化粧用パフに用いられる交換用塗布部である。
【発明の効果】
【００２０】
本発明の第1の態様によるハンドル付き化粧用パフによれば、化粧用パフを保持するハンドル部を備えているので、化粧料の塗布時に、ユーザがハンドル部を持つことにより、（ユーザの）手が汚れにくくて、持ち易い。また、このハンドル付き化粧用パフによれば、化粧用パフを交換可能にするための機構を用いて、化粧用パフを交換することができるので、化粧用パフの塗布面を常に清潔な状態に維持することができる。【００２１】
本発明の第２の態様による交換用パフは、上記第1の態様によるハンドル付き化粧用パフ（化粧用パフと、化粧用パフを保持するハンドル部と、化粧用パフを交換可能にするための機構とを備えるハンドル付き化粧用パフ）の交換用パフとして用いられることにより、上記の化粧用パフの交換を可能にする。【００２２】
本発明の第３の態様による交換用塗布部は、袋状の塗布部と塗布部の中芯とを備える化粧用パフと、化粧用パフを保持するハンドル部と、化粧用パフを交換可能にするための機構とを備えるハンドル付き化粧用パフの交換用塗布部として用いられることにより、上記の塗布部の交換を可能にする。
【図面の簡単な説明】
【００２３】
【図１】本発明の第１の実施形態におけるハンドル付き化粧用パフの斜視図。
【図２】同ハンドル付き化粧用パフの上面図。
【図３】同ハンドル付き化粧用パフの前面図。
【図４】同ハンドル付き化粧用パフの右側面図。
【図５】同ハンドル付き化粧用パフのキャップ部を開いた状態の上面図。
【図６】同ハンドル付き化粧用パフを底面側から見た時のキャップ部の開き方の説明図。
【図７】開いた状態における左キャップと右キャップとを、これらの底面側から見た斜視図。
【図８】キャップ部を取り外した状態における同ハンドル付き化粧用パフの斜視図。
【図９】右キャップのみをハンドル部に取り付けた状態における同ハンドル付き化粧用パフの斜視図。
【図１０】図２のＡ−Ａ´線断面図。
【図１１】中芯を挿入した（取り付けた）状態における、化粧用パフの裏面側の斜視図。
【図１２】中芯を取り外した状態における、化粧用パフの裏面側の斜視図。
【図１３】パフ固定板を取り付けた状態のハンドル部の斜視図。
【図１４】同パフ固定板を取り外した状態のハンドル部の斜視図。
【図１５】同パフ固定板の斜視図。
【図１６】同ハンドル付き化粧用パフのハンドル蓋部の斜視図。
【図１７】（ａ）、（ｂ）は、同ハンドル付き化粧用パフの挟み込み機構による塗布部の挟み込みを解除する方法の説明図。
【図１８】同ハンドル付き化粧用パフの挟み込み機構の説明図。
【図１９】同ハンドル付き化粧用パフに用いられる交換用パフの斜視図。
【図２０】本発明の第２の実施形態におけるハンドル付き化粧用パフの斜視図。
【図２１】（ａ）は、下側キャップ内に、化粧用パフを収納する前の同ハンドル付き化粧用パフの斜視図、（ｂ）は、下側キャップ内に、化粧用パフを収納した後の同ハンドル付き化粧用パフの一部破断した右側面図。
【図２２】上側キャップと下側キャップを開いて、上側キャップ内に、同ハンドル付き化粧用パフの化粧用パフを収納した様子を示す説明図。
【図２３】キャップ部内に化粧用パフを収納して、キャップ部を閉じた状態の同ハンドル付き化粧用パフを底面側から見た斜視図。
【図２４】本発明の第３の実施形態におけるハンドル付き化粧用パフの斜視図。
【図２５】キャップ部を取り外した状態の同ハンドル付き化粧用パフの説明図。
【図２６】キャップ部を取りつけた状態の同ハンドル付き化粧用パフを底面側から見た斜視図。
【図２７】塗布部の大きさと厚み、及びハンドル部の底面の径と高さの説明図。
【図２８】本発明の変形例１における、ハンドル部上面に設けた突起の説明図。
【図２９】本発明の変形例１における、パフ固定板の板状部の下面に設けた突起の説明図。
【図３０】本発明の変形例２−１における、ねじ（スクリュー）式の挟み込み機構の説明図。
【図３１】本発明の変形例２−２における、マグネット式の挟み込み機構の説明図。
【図３２】本発明の変形例２−３における、面ファスナー式の挟み込み機構の説明図。
【図３３】（ａ）、（ｂ）は、本発明の変形例２−４における、パフ座とハンドル部上部のリング爪とを嵌合させる方式の挟み込み機構の説明図。
【図３４】（ａ）、（ｂ）は、本発明の変形例２−４における、パフ固定板のリング爪とハンドル部の環状凹部とを嵌合させる方式の挟み込み機構の説明図。
【図３５】本発明の変形例２−５における、スリット爪式の挟み込み機構の説明図。
【図３６】（ａ）、（ｂ）、（ｃ）は、同スリット爪式の挟み込み機構におけるスリット爪とクリック溝との係合構造の説明図。
【図３７】（ａ）、（ｂ）は、それぞれ、本発明の変形例３における丸型のハンドル付き化粧用パフの、キャップ部を被せた時と外した時の斜視図。
【図３８】（ａ）、（ｂ）は、それぞれ、本発明の変形例３におけるハート型のハンドル付き化粧用パフの、キャップ部を被せた時と外した時の斜視図。
【発明を実施するための形態】
【００２４】
以下、本発明を具体化した実施形態によるハンドル付き化粧用パフについて、図面を参照して説明する。図１、図２、図３、及び図４は、それぞれ、本発明の第１の実施形態のハンドル付き化粧用パフの斜視図、上面図、前面図、及び右側面図である。これらの図では、キャップ部４を閉じた状態におけるハンドル付き化粧用パフ１を示している。また、図５は、キャップ部４を開いた状態におけるハンドル付き化粧用パフ１の上面図である。これらの図に示されるように、ハンドル付き化粧用パフ１は、図５に示される化粧用パフ２と、化粧用パフ２を保持するハンドル部３と、化粧用パフ２を覆うためのキャップ部４とを備えている。また、詳細については後述するが、ハンドル付き化粧用パフ１は、（主に、ハンドル部３の内部に、）化粧用パフ２を交換可能にするための機構を有している。このハンドル付き化粧用パフ１は、主に、ユーザの顔面に化粧料を塗布するために用いられるが、ユーザの顔面等の肌の洗浄にも用いることができる。例えば、化粧用パフ２にクレンジング等の洗浄用のクリームをつけて、ユーザの顔面の肌を洗浄することができる。
【００２５】
上記の化粧用パフ２の詳細については、後述する。また、ハンドル部３は、ＡＢＳ（Ａｃｒｙｌｏｎｉｔｒｉｌｅ  Ｂｕｔａｄｉｅｎｅ  Ｓｔｙｒｅｎｅ）、ＰＰ（ポリプロピレン）、ＡＳ、ＰＥ（ポリエチレン）、ＰＥＴ（ポリエチレンテレフタレート）、ＰＣ（ポリカーボネート）等の樹脂で成形されている。上記の図１、図３、及び図４に示すように、ハンドル部３は、持ち易い形状に形成されている。なお、これらの図に示すハンドル部３の形状は、例示に過ぎず、持ち易い（把持し易い）形状であればよい。
【００２６】
また、上記のキャップ部４は、ユーザがハンドル付き化粧用パフ１を使用していない時に、化粧用パフ２が汚れたり、化粧用パフ２に塗布済の化粧料で、ユーザの鞄等が汚れたりすることを防ぐための部材である。
【００２７】
図１乃至図５に示すように、上記のキャップ部４は、左キャップ４ａ（請求項における「第一のキャップ」に相当）と、右キャップ４ｂ（請求項における「第二のキャップ」に相当）とを備えている。キャップ部４による化粧用パフ２の収納時には、左キャップ４ａは、化粧用パフ２の（塗布部２１の）上面２ｂにおける左半分の部分（請求項における「第一上面部」）、及び化粧用パフ２の（塗布部２１の）下面２ｃ（図８及び図９参照）における左半分の部分（請求項における「第一下面部」）を覆う。また、上記の化粧用パフ２の収納時には、右キャップ４ｂは、化粧用パフ２の（塗布部２１の）上面２ｂにおける右半分の部分（請求項における「第二上面部」）、及び化粧用パフ２の（塗布部２１の）下面２ｃ（図８及び図９参照）における右半分の部分（請求項における「第二下面部」）を覆う。
【００２８】
また、ハンドル付き化粧用パフ１は、上記の左キャップ４ａと右キャップ４ｂとを開閉自在にするためのヒンジ部５と、キャップ部４による化粧用パフ２の収納時に、左キャップ４ａと右キャップ４ｂとを閉じた状態で維持するための係合部６とを備えている。ヒンジ部５は、ロールピン５ａを有している。左キャップ４ａと右キャップ４ｂとは、ヒンジ部５において、ロールピン５ａにより回転自在に支持されている。また、係合部６は、右キャップ４ｂに設けられた係合フック６ａと、左キャップ４ａに設けられた係合突起６ｂとを有している。
【００２９】
図６は、ハンドル部３の底面側から見た、キャップ部４（左キャップ４ａと右キャップ４ｂ）の開き方を示す図である。図７は、開いた状態における左キャップ４ａと右キャップ４ｂとを、これらの底面側から見た斜視図である。図８は、キャップ部４（左キャップ４ａと右キャップ４ｂ）を取り外した状態におけるハンドル付き化粧用パフ１を示す斜視図である。また、図９は、右キャップ４ｂのみをハンドル部３に取り付け、左キャップ４ａをハンドル部３から取り外した状態におけるハンドル付き化粧用パフ１を示す斜視図である。ユーザは、キャップ部４を開くときには、図６及び図９に示すように、上記の係合フック６ａと係合突起６ｂとの係合を解除した上で、左キャップ４ａと右キャップ４ｂとを、ロールピン５ａを回転軸として、図６中の矢印に示す方向に回転させる。
【００３０】
逆に、キャップ部４を閉じるときには、ユーザは、左キャップ４ａと右キャップ４ｂとを、ロールピン５ａを回転軸として、図６中の矢印とは逆方向に回転させて、係合突起６ｂを係合フック６ａの内側に嵌入することにより、係合フック６ａと係合突起６ｂとを係合させる。このキャップ部４を閉じるとき（キャップ部４に化粧用パフ２を収納するとき）には、ユーザは、左キャップ４ａに設けられた凹部４ｃと、右キャップ４ｂに設けられた凹部４ｄとを、ハンドル部３に設けられた環状凹部３ｄ（図１０及び図１７参照）に嵌め込む。これにより、キャップ部４が、ハンドル部３に取り付けられる。
【００３１】
次に、図１０乃至図１６を参照して、ハンドル付き化粧用パフ１の内部構造について説明する。図１０は、図２のＡ−Ａ´線断面図である。図１０に示すように、化粧用パフ２は、袋状の塗布部２１と、この塗布部２１の中芯２２とを備えている。図１１と図１２とは、中芯２２を挿入した（取り付けた）状態と取り外した状態における、化粧用パフ２の裏面側の斜視図である。これらの図１１及び図１２に示されるように、化粧用パフ２は、中芯２２を袋状の塗布部２１から取り外し可能な構成になっている。中芯２２は、塗布部２１を支えるクッション材であり、図５、図８、及び図１１等に示すように、ハンドル付き化粧用パフ１の使用時には、中芯２２の表面、及び下面の一部は、塗布部２１により覆われる。中芯２２の形状を変えることにより、塗布部２１を含む化粧用パフ２全体の形状を、色々な形状に変化させることができる。
【００３２】
また、ハンドル付き化粧用パフ１は、化粧用パフ２を交換可能にするための機構を有している。この化粧用パフ２を交換可能にするための機構を実現するために、ハンドル付き化粧用パフ１は、化粧用パフ２をハンドル部３に固定するためのパフ固定板１１と、このパフ固定板１１と係合可能なハンドル蓋部７を備えている。図１３は、パフ固定板１１を取り付けた状態のハンドル部３を示し、図１４は、パフ固定板１１を取り外した状態のハンドル部３を示す。また、図１５と図１６とは、それぞれ、パフ固定板１１とハンドル蓋部７とを示す。図１０及び図１４に示すように、ハンドル部３は、上面３ａを備えている。また、図１０及び図１４に示すように、ハンドル部３は、その底面に穴部３ｃを有しており、また、この穴部３ｃを形成する円環上に、係合凸部３ｂを有している。上記のハンドル蓋部７は、ハンドル部３の底面側から穴部３ｃに嵌入可能である。また、図１０及び図１５に示すように、パフ固定板１１は、塗布部２１の袋内に挿入される板状部１１ａと、脚部１１ｂと、脚部下面１１ｃと、係合凹部１１ｄ（図１０参照）と、歯部１１ｅと、係合突起１１ｆとを備えている。そして、図１０及び図１６に示すように、ハンドル蓋部７は、その外周に設けられた円環部７ａと、この円環部７ａの上部の斜面面である円環部上斜面７ｂと、その中央に設けられた略円柱状の柱部７ｃと、柱部７ｃの先端に設けられた係合突起７ｄとを備えている。
【００３３】
上記の化粧用パフ２を交換可能にするための機構は、ハンドル部３の上面３ａ（図１０及び図１４参照）と、パフ固定板１１の板状部１１ａ（図１０及び図１５参照）の下面とで、化粧用パフ２の塗布部２１（の下側シート２１ｂ）を挟み込む挟み込み機構１２を含んでいる。
【００３４】
上記の挟み込み機構１２により塗布部２１（の下側シート２１ｂ）を挟み込む時には、図１０に示すように、化粧用パフ２の塗布部２１の袋内に挿入された（化粧用パフ２が取り付けられた）状態のパフ固定板１１の係合凹部１１ｄと、ハンドル部３の係合凸部３ｂとが係合されることにより、パフ固定板１１とハンドル部３とが、接続される。また、この挟み込み時には、ハンドル蓋部７が、ハンドル部３の穴部３ｃから上方に嵌入されて、ハンドル蓋部７の柱部７ｃに設けられた係合突起７ｄと、パフ固定板１１の係合突起１１ｆとが係合されることにより、パフ固定板１１とハンドル蓋部７とが、接続される。上記のように、ハンドル部３の上面３ａと、パフ固定板１１の板状部１１ａの下面とで、化粧用パフ２の塗布部２１（の下側シート２１ｂ）を挟み込んだ状態で、図１８に示すように、上記のパフ固定板１１とハンドル部３の接続と、上記のパフ固定板１１とハンドル蓋部７の接続を行うことにより、上記の化粧用パフ２の塗布部２１を挟み込んだ状態を維持することができる。
【００３５】
これに対して、ユーザが、上記の挟み込み機構１２による塗布部２１の挟み込みを解除して、化粧用パフ２を交換する時には、以下のような操作を行う。すなわち、図１０に示すように、化粧用パフ２の塗布部２１を挟み込んだ状態において（ハンドル蓋部７が、ハンドル部３の穴部３ｃに嵌入されてパフ固定板１１と係合されている時に）、ハンドル蓋部７が、ハンドル部３の奥方向にさらに押し込まれると、上記の係合構造によるパフ固定板１１とハンドル部３との係合が解除されて、上記の挟み込み機構１２による塗布部２１の挟み込みが解除される。
【００３６】
具体的には、上記のパフ固定板１１とハンドル部３の接続と、パフ固定板１１とハンドル蓋部７の接続がされている状態において、ユーザが、図１７（ａ）中の矢印Ａに示すように、ハンドル蓋部７を、ハンドル部３の奥方向（上方向）にさらに押し込むと、パフ固定板１１の先細形状の脚部１１ｂの下面である脚部下面１１ｃが、ハンドル蓋部７の円環部上斜面７ｂにより押圧されて、パフ固定板１１の脚部１１ｂの下端部が、図１７（ａ）中の矢印Ｂに示す方向（斜め上方向）に持ち上げられる。このため、上記のパフ固定板１１の係合凹部１１ｄと、ハンドル部３の係合凸部３ｂとの係合が解除されて、パフ固定板１１の板状部１１ａが、図１７（ａ）中の矢印Ｃに示す方向（上方）に持ち上げられる。これにより、図１７（ｂ）に示すように、上記の挟み込み機構１２による（ハンドル部３の上面３ａとパフ固定板１１の板状部１１ａの下面とによる）塗布部２１の挟み込みが解除されて、化粧用パフ２を、パフ固定板１１から取り外すことが可能になる。従って、ユーザが、これまで使用していた化粧用パフ２を、図１９に示す交換用パフ２４と交換することが可能になる。また、ユーザが、これまで使用していた化粧用パフ２の塗布部２１を、交換用塗布部２５と交換することも可能になる。
【００３７】
主に、上記の挟み込み機構１２（ハンドル部３の上面３ａと、パフ固定板１１の板状部１１ａの下面とで、化粧用パフ２の塗布部２１を挟み込む機構）と、上記の挟み込み機構１２による塗布部２１の挟み込みを解除する機構（ハンドル蓋部７を奥方向に押し込むことにより、パフ固定板１１の係合凹部１１ｄと、ハンドル部３の係合凸部３ｂとの係合が解除されて、パフ固定板１１の板状部１１ａが、上方に持ち上げられる機構）とが、請求項における「化粧用パフを交換可能にするための機構」に相当する。
【００３８】
また、ハンドル部３の土台の部分の外形（ハンドル部３の上面３ａの外形）ＯＬ１（図８及び図１４参照）の面積が、化粧用パフ２の外形ＯＬ２（図１１及び図１２参照）の面積よりも大きいと、ハンドル付き化粧用パフ１の使用時に、ハンドル部３の土台の部分が、ユーザの顔面の肌に当たり易いので、ユーザが、不快に感じる。このため、第１の実施形態のハンドル付き化粧用パフ１では、図８に示すように、ハンドル部３の土台の部分の外形（ハンドル部３の上面３ａの外形）ＯＬ１の面積を、化粧用パフ２の外形ＯＬ２の面積よりも小さくして、ハンドル付き化粧用パフ１の使用時に、ハンドル部３の土台の部分が、ユーザの顔面の肌に当たるのを防止できるようにしている。
【００３９】
そして、上記のように、ハンドル部３の土台の部分の外形ＯＬ１（の面積）を、化粧用パフ２の外形ＯＬ２（の面積）よりも小さくした場合には、後述する第３の実施形態の場合のように、ハンドル部の土台の部分の外形ＯＬ１（の面積）を、化粧用パフの外形ＯＬ２（の面積）よりも大きくした場合と異なり、キャップ部４による化粧用パフ２の収納構造に工夫をする必要がある。すなわち、ハンドル部３の土台の部分の外形ＯＬ１（の面積）を、化粧用パフ２の外形ＯＬ２（の面積）よりも小さくした場合には、キャップ部を、第３の実施形態におけるキャップ部４４（図２５参照）のように単なる蓋の形状にして、ハンドル部の外縁部分に設けられた外環リング（第３の実施形態におけるハンドル部４３の符号４３ｃの部材（図２５参照）に相当）に嵌合させることにより、化粧用パフ２を収納することはできない。このため、第１の実施形態では、キャップ部４を、左キャップ４ａと右キャップ４ｂとに分けて、左キャップ４ａと右キャップ４ｂとで、化粧用パフ２を挟み込んで収納するようにしている。
【００４０】
また、第１の実施形態では、化粧用パフ２の先端２ａ（図５参照）を、尖った形状にした。上記のように、ハンドル部３の土台の部分の外形ＯＬ１（の面積）を、化粧用パフ２の外形ＯＬ２（の面積）よりも小さくした上で、化粧用パフ２の先端２ａを尖った形状にしたことにより、顔面の細かい所まで、化粧料を塗布することができる。
【００４１】
次に、上記図１１及び図１２に示される化粧用パフ２の塗布部２１について、詳細に説明する。この塗布部２１は、例えば、ＮＢＲ（アクリロニトリルブタジエンゴム）スポンジ、ウレタンスポンジ等から構成される袋状のものである。この塗布部２１に使用可能な材料としては、各種の発泡体、人工ゴム、編物、織物、不織布、人工皮革等が挙げられる。
【００４２】
また、塗布部２１は、以下のような構成にしてもよい。例えば、（１）塗布部２１の表面側又は裏面側に、遮断層としてフィルムを貼付した構成にしてもよい。この構成によれば、化粧料が化粧用パフ２の内部に浸透する（染み込む）のを防止することができる。また、（２）塗布部２１の表面に植毛をしてもよい。具体的には、塗布部２１の表面に、細かな繊維を植毛することでビロード形状とすることができる。これにより、化粧の仕上がり感を変化させることができ、また、ユーザの顔面への肌当りを良くすることができる。さらにまた、（３）塗布部２１の表面を、異なる素材を組み合わせたものにしてもよい。例えば、塗布部２１の生地に各種のスポンジ（発泡体）を用いている場合に、このスポンジの生地の一部に植毛をすることにより、塗布部２１の表面を、スポンジと植毛を組み合わせたものにすることができる。なお、この場合、塗布部２１の表面全体におけるスポンジと植毛の面積の比率は、任意である。塗布部２１の表面における、スポンジと植毛で構成されるデザインも、任意である。
【００４３】
また、（４）塗布部２１の表面に、撥水加工及び／又は撥油加工を施してもよいし、防汚加工及び／又は抗菌加工を施してもよい。さらにまた、（５）塗布部２１の表面を盛り上がらせて、立体感を持たせてもよい。この場合に、塗布部２１の表面を盛り上がらせる方法としては、スポンジ等で構成された塗布部２１自体を盛り上がらせてもよいし、塗布部２１に覆われた中芯２２を盛り上がらせてもよい。また、（６）塗布部２１の（少なくとも）表面の領域を複数の色の領域に分けて、使用目的の異なる複数の化粧料毎に、塗布に利用する領域の色を変えるようにしてもよい。これにより、同じ塗布部２１の表面を用いて、使用目的の異なる複数の化粧料を塗布することができる。なお、塗布部２１の形状のバリエーションの例については、後述する。
【００４４】
次に、上記の塗布部２１の製造方法の例について説明する。塗布部２１は、基材となる発泡ポリウレタン（ウレタンスポンジ）等のシート２枚を、所望の形に成形し、これらのシートを重ね合わせて所定の寸法で切断した。より具体的に説明すると、例えば、製造現場の作業者は、厚み２ｍｍの連通気泡を有する発泡ポリウレタンのシートの一面側にフィルムを貼り付けたものを２枚用意し、そのうちの1枚には中芯２２を入れるため、図１２に示すような円形の穴２１ｃを開ける。そして、作業者は、円形の穴２１ｃを開けたシートが上にくるように、またシートにおけるフィルムを貼り付けた側が共に外側にくるように、２枚のシートを重ね合わせた後、しずく型等の形に裁断すると同時に、これらのシートの端部を熱圧着して溶着させる。
【００４５】
次に、塗布部２１を支えるクッション材である中芯２２について、説明する。中芯２２に使用可能な材料としては、各種の発泡体、人工ゴム、不織布等が挙げられる。また、中芯２２については、使用用途において適宜のクッション性のある材質のものを選んで用いることができる。
【００４６】
上記のように、第１の実施形態のハンドル付き化粧用パフ１によれば、化粧用パフ２を保持するハンドル部３を備えているので、化粧料の塗布時に、ユーザがハンドル部３を持つことにより、（ユーザの）手が汚れにくくて、持ち易い。また、このハンドル付き化粧用パフ１によれば、化粧用パフ２を交換可能にするための機構を用いて、化粧用パフ２を交換することができるので、化粧用パフ２の塗布面を常に清潔な状態に維持することができる。さらに、このハンドル付き化粧用パフ１によれば、主に、ハンドル部３の内部に、化粧用パフ２を交換可能にするための機構を有しているので、ユーザの使用時に化粧用パフを交換可能にするための機構を見えなくすることができる。
【００４７】
また、本実施形態のハンドル付き化粧用パフ１によれば、上記の化粧用パフ２を交換可能にするための機構は、ハンドル部３上の面（上面３ａ）を用いて、塗布部２１を挟み込む挟み込み機構１２を含むようにした。これにより、挟み込み機構１２で化粧用パフ２をハンドル部３に保持することができると共に、化粧用パフ２の交換時に、挟み込み機構１２を用いて交換用パフ２４をハンドル部３に取り付けることができる。
【００４８】
さらに、本実施形態のハンドル付き化粧用パフ１によれば、塗布部２１の袋内に挿入される（パフ固定板１１の）板状部１１ａをさらに備え、挟み込み機構１２は、ハンドル部３上の面（上面３ａ）と、板状部１１ａとで、塗布部２１を挟み込むようにした。これにより、化粧用パフ２をハンドル部３に堅固に保持することができると共に、化粧用パフ２の交換時に、挟み込み機構１２を用いて交換用パフ２４をハンドル部３にしっかりと取り付けることができる。
【００４９】
また、本実施形態のハンドル付き化粧用パフ１によれば、上記の板状部１１ａが、化粧用パフ２をハンドル部３に固定するためのパフ固定板１１の一部であり、パフ固定板１１とハンドル部３とが、これらを接続するための係合構造（パフ固定板１１の係合凹部１１ｄと、ハンドル部３の係合凸部３ｂとの係合構造）を有するようにした。これにより、ハンドル部３上の面（上面３ａ）と板状部１１ａとで、化粧用パフ２の塗布部２１を挟み込んだ状態を維持することができる。
【００５０】
また、本実施形態のハンドル付き化粧用パフ１によれば、パフ固定板１１と係合可能なハンドル蓋部７をさらに備え、ハンドル蓋部７が、ハンドル部３の底面の穴部３ｃに嵌入されてパフ固定板１１と係合されている時に、ハンドル部３の奥方向にさらに押し込まれると、上記の挟み込み機構１２による塗布部２１の挟み込みが解除されるようにした。これにより、化粧用パフ２をハンドル部３から簡単に取り外すことができるので、化粧用パフ２を容易に交換することができる。
【００５１】
また、本実施形態のハンドル付き化粧用パフ１によれば、ハンドル蓋部７が、ハンドル部３の穴部３ｃに嵌入されてパフ固定板１１と係合されている時に、ハンドル部３の奥方向にさらに押し込まれると、上記のパフ固定板１１とハンドル部３との係合が解除されて、上記の挟み込み機構１２による塗布部２１の挟み込みが解除されるようにした。これにより、化粧用パフ２をハンドル部３から確実に取り外すことができる。
【００５２】
また、本実施形態のハンドル付き化粧用パフ１によれば、ハンドル部３の上面３ａの外形ＯＬ１（ハンドル部３の土台の部分の外形）の面積を、化粧用パフ２の外形ＯＬ２の面積よりも小さくした。これにより、ハンドル付き化粧用パフ１の使用時に、ハンドル部３の土台の部分が、ユーザの顔面の肌に当たり難くすることができる。
【００５３】
また、本実施形態のハンドル付き化粧用パフ１によれば、化粧用パフの一端（先端２ａ）を尖った形状にした。これにより、ユーザが、顔面の細かい所まで、化粧料を塗布することができる。
【００５４】
また、本実施形態のハンドル付き化粧用パフ１によれば、化粧用パフ２を覆うキャップ部４をさらに備えるようにした。これにより、ユーザが、化粧料を塗布していない時には、キャップ部４で化粧用パフ２を覆うことで、化粧用パフ２の塗布部２１に塗布済の化粧料で、ユーザの手等が汚れることを防ぎ、しかも、化粧用パフ２の（塗布部２１の）塗布面が汚れるのを防ぐことができる。
【００５５】
また、本実施形態のハンドル付き化粧用パフ１によれば、キャップ部４は、化粧用パフ２の（塗布部２１の）上面２ｂにおける左半分の部分（「第一上面部」）、及び化粧用パフ２の（塗布部２１の）下面２ｃにおける左半分の部分（「第一下面部」）を覆う左キャップ４ａ（請求項における「第一のキャップ」）と、化粧用パフ２の上面２ｂにおける右半分の部分（「第二上面部」）、及び化粧用パフ２の下面２ｃにおける右半分の部分（「第二下面部」）を覆う右キャップ４ｂ（請求項における「第二のキャップ」）とを備えるようにした。この構成においては、本実施形態のように、ハンドル部３の土台の部分の外形ＯＬ１（の面積）を、化粧用パフ２の外形ＯＬ２（の面積）よりも小さくした場合でも、左キャップ４ａと右キャップ４ｂとで、化粧用パフ２を挟み込んで収納することができる。
【００５６】
また、上記の交換用パフ２４を、本実施形態のハンドル付き化粧用パフ１の化粧用パフ２の交換用パフとして用いることにより、化粧用パフ２の交換を可能にすることができる。
【００５７】
また、上記の交換用塗布部２５を、本実施形態のハンドル付き化粧用パフ１の塗布部２１の交換用塗布部として用いることにより、塗布部２１の交換を可能にすることができる。
【００５８】
次に、図２０乃至図２３を参照して、本発明の第２の実施形態によるハンドル付き化粧用パフ３１について説明する。図２０は、第２の実施形態のハンドル付き化粧用パフ３１の斜視図であり、化粧用パフ２をキャップ部３４で覆った（キャップ部３４内に収納した）時のハンドル付き化粧用パフ３１の外観を示す。また、図２１（ａ）（ｂ）は、化粧用パフ２をキャップ部３４内に収納する方法の説明図である。上記の第１の実施形態では、図９等に示すように、キャップ部４を、左キャップ４ａと右キャップ４ｂとに分けて、左キャップ４ａと右キャップ４ｂとで、左右から化粧用パフ２を挟み込んで収納するようにした。これに対して、第２の実施形態では、図２１（ａ）（ｂ）に示すように、キャップ部３４を、上側キャップ３４ａと下側キャップ３４ｂとに分けて、上側キャップ３４ａと下側キャップ３４ｂとで、上下から化粧用パフ２を挟み込んで収納する。
【００５９】
上記図２１（ａ）（ｂ）に加えて、図２２及び図２３を参照して、上記のキャップ部３４の構成について、より詳細に説明する。図２１（ａ）（ｂ）は、それぞれ、下側キャップ３４ｂ内に、ハンドル部３に固定された化粧用パフ２を収納する前と、収納した後のハンドル付き化粧用パフ３１を示す。図２２は、上側キャップ３４ａと下側キャップ３４ｂとを開いて、上側キャップ３４ａ内にハンドル付き化粧用パフ３１の化粧用パフ２を収納した様子を示す。図２３は、キャップ部３４を閉じた（キャップ部３４内に、ハンドル部３に固定された化粧用パフ２を収納した）状態のハンドル付き化粧用パフ３１を底面側から見た様子を示す。これらの図２１（ａ）（ｂ）、図２２、及び図２３に示されるように、キャップ部３４は、化粧用パフ２の上面を覆う上側キャップ３４ａと、化粧用パフ２の下面を覆う下側キャップ３４ｂと、上側キャップ３４ａと下側キャップ３４ｂとを開閉自在にするためのヒンジ部３５とを備えている。ヒンジ部３５は、上側キャップ３４ａと下側キャップ３４ｂとを回転自在に支持するためのロールピン３５ａを有している。また、上側キャップ３４ａは、上側キャップ３４ａにおける他の部分の厚みよりも薄くなった外縁部３４ｄを有し、下側キャップ３４ｂは、図２１及び２２に示される外環リング３４ｃと底部リング３４ｅを有している。
【００６０】
キャップ部３４による化粧用パフ２の収納時には、上記の下側キャップ３４ｂの外環リング３４ｃが上側キャップ３４ａの外縁部３４ｄ内に嵌入されることにより、上側キャップ３４ａと下側キャップ３４ｂとが閉じた状態に維持される。また、キャップ部３４による化粧用パフ２の収納時には、図２１（ｂ）に示すように、化粧用パフ２を取り付けたハンドル部３が、下側キャップ３４ｂの底部リング３４ｅに載置された状態で、下側キャップ３４ｂに保持（収納）される。
【００６１】
なお、上側キャップ３４ａの外縁部３４ｄの外形の大きさは、下側キャップ３４ｂの外環リング３４ｃの外形の大きさよりも僅かに大きくなっており、しかも、上側キャップ３４ａの外縁部３４ｄの厚みは、上側キャップ３４ａにおける他の部分の厚みよりも薄くなっている。このため、上側キャップ３４ａの外縁部３４ｄは、下側キャップ３４ｂの外環リング３４ｃに容易に嵌入させることができ、しかも、薄手の樹脂が有する弾性力により、上側キャップ３４ａの外縁部３４ｄが下側キャップ３４ｂの外環リング３４ｃに嵌合された状態を維持することができる。
【００６２】
また、第２の実施形態のハンドル付き化粧用パフ３１におけるキャップ部３４以外の構成は、実質的に、第１の実施形態のハンドル付き化粧用パフ１の構成と同じである。ただし、第２の実施形態のハンドル付き化粧用パフ３１におけるハンドル部３には、第１の実施形態のハンドル部３の環状凹部３ｄに相当する部材（第１の実施形態における左キャップ４ａの凹部４ｃと、右キャップ４ｂの凹部４ｄとを嵌め込むための部材）を設ける必要はない。
【００６３】
この第２の実施形態のハンドル付き化粧用パフ３１によっても、上記の第１の実施形態のハンドル付き化粧用パフ１と同様に、図２２に示すように、ハンドル部３の土台の部分の外形ＯＬ１（の面積）を、化粧用パフ２の外形ＯＬ２（の面積）よりも小さくしているにも拘わらず、２つのキャップ（上側キャップ３４ａと下側キャップ３４ｂと）で、化粧用パフ２を挟み込んで収納することができる。
【００６４】
上記のように、第２の実施形態のハンドル付き化粧用パフ１によれば、キャップ部３４が、化粧用パフ２の上面を覆う上側キャップ３４ａと、化粧用パフ２の下面を覆う下側キャップ３４ｂとを備えるようにした。これにより、ハンドル部３の土台の部分の外形ＯＬ１（の面積）を、化粧用パフ２の外形ＯＬ２（の面積）よりも小さくした場合でも、上側キャップ３４ａと下側キャップ３４ｂとで、化粧用パフ２を挟み込んで収納することができる。
【００６５】
次に、図２４乃至図２６を参照して、本発明の第３の実施形態によるハンドル付き化粧用パフ４１について説明する。図２４は、第３の実施形態のハンドル付き化粧用パフ４１の斜視図である。図２５は、キャップ部４４を取り外した状態のハンドル付き化粧用パフ４１を示す斜視図である。図２６は、キャップ部４４を取りつけた状態のハンドル付き化粧用パフ４１を底面側から見た斜視図である。
【００６６】
上記第１及び第２の実施形態では、ハンドル部３の土台の部分の外形ＯＬ１（の面積）が、化粧用パフ２の外形ＯＬ２（の面積）よりも小さいので、キャップ部４又は３４を、２つのキャップ（左キャップ４ａと右キャップ４ｂ、又は上側キャップ３４ａと下側キャップ３４ｂ）に分けて、２つのキャップで化粧用パフ２を挟み込んで収納するようにした。これに対して、第３の実施形態では、ハンドル部４３の土台の部分の外形ＯＬ１（の面積）が、化粧用パフ２の外形ＯＬ２（の面積）よりも大きいので、図２５等に示すように、キャップ部４４を、蓋形状にして、このキャップ部４４の外縁部４４ａを、ハンドル部４３の外縁部分に設けられた外環リング４３ｃに嵌合させることにより、化粧用パフ２を収納することができる。
【００６７】
なお、キャップ部４４の外縁部４４ａの外形の大きさは、ハンドル部４３の外環リング４３ｃの外形の大きさよりも僅かに大きくなっており、しかも、キャップ部４４における外縁部４４ａの厚みは、キャップ部４４における他の部分の厚みよりも薄くなっている。このため、キャップ部４４の外縁部４４ａは、ハンドル部４３の外環リング４３ｃに容易に嵌入させることができ、しかも、薄手の樹脂が有する弾性力により、キャップ部４４の外縁部４４ａがハンドル部４３の外環リング４３ｃに嵌合された状態を維持することができる。
【００６８】
なお、第３の実施形態のハンドル付き化粧用パフ４１におけるキャップ部４４以外の構成は、実質的に、第２の実施形態のハンドル付き化粧用パフ３１の構成と同じである。
【００６９】
上記のように、第３の実施形態のハンドル付き化粧用パフ４１によれば、キャップ部４４が、上記第１及び第２の実施形態のハンドル付き化粧用パフと比べて、簡単な形状（一般的な蓋形状）であるので、キャップ部４４を含むハンドル付き化粧用パフ４１の全体を、簡単に製造することができる。
【００７０】
次に、図２７を参照して、上記第１乃至第３実施形態における、塗布部２１の大きさと厚み、及びハンドル部３の高さ（長さ）と底面の径について、説明する。化粧用パフ２（塗布部２１）の（水平方向の）大きさＷ１は、例えば、φ３０〜φ１５０の円に収まる大きさであり、φ３０〜φ１００の円に収まる大きさであることが望ましい。また、化粧用パフ２全体の厚みＤ１は、例えば、５〜１００ｍｍであり、１０〜５０ｍｍであることが望ましい。ただし、塗布部２１の素材（下側シート２１ｂや上側シート２１ａ）の厚みは、例えば、０．５〜２４ｍｍであり、２．０〜１０ｍｍであることが望ましい。また、化粧用パフ２の中芯２２の厚みは、例えば、４．５〜７６ｍｍであり、８〜４０ｍｍであることが望ましい。
【００７１】
ハンドル部３の底面の（水平方向の）直径Ｗ２は、例えば、φ１０〜φ１００である。また、ハンドル部３の長さ（高さ）Ｈ１は、例えば、１０〜６０ｍｍである。
【００７２】
ユーザによるハンドル付き化粧用パフ１の使い易さを考慮すると、ハンドル部３と化粧用パフ２との縦方向の長さの比（図２７における、ハンドル部３の長さ（高さ）Ｈ１と化粧用パフ２全体の厚みＤ１との比（Ｈ１／Ｄ１））は、０．１〜１２であり、０．１〜５であることが望ましい。また、ユーザによるハンドル付き化粧用パフ１の使い易さを考慮すると、ハンドル部３と化粧用パフ２との横方向の長さの比は、０．３〜１５であり、０．３〜１０であることが望ましい。
【００７３】
変形例：
なお、本発明は、上記の各実施形態の構成に限られず、発明の趣旨を変更しない範囲で種々の変形が可能である。次に、本発明の変形例について説明する。
【００７４】
変形例１： 
上記の各実施形態では、図１４に示されるようなハンドル部３の上面３ａと、図１５に示されるようなパフ固定板１１の板状部１１ａの下面とで、化粧用パフ２の塗布部２１を挟み込むようにした。けれども、ハンドル部の上面、及び板状部１１ａの下面は、図１４及び図１５に示されるような凹凸のない形状のものに限られない。例えば、図２８に示すように、ハンドル部５３の上面５３ａのみに、突起５３ｂを設けてもよいし、図２９に示すように、パフ固定板６１の板状部６１ａの下面のみに、突起６１ｂを設けてもよい。また、ハンドル部５３の上面５３ａと、パフ固定板６１の板状部６１ａの下面の両方に、突起５３ｂと突起６１ｂを設けてもよい。このように、ハンドル部の上面とパフ固定板の板状部の下面の少なくともいずれかに突起を設けることにより、ハンドル部の上面とパフ固定板の板状部の下面とで、化粧用パフの塗布部を挟み込んだ時に、化粧用パフの塗布部がずれにくくすることができるので、ハンドル部による化粧用パフの保持性を向上させることができる。
【００７５】
変形例２： 
また、上記第１及び第２の実施形態では、ハンドル部３の上面３ａと、パフ固定板１１の板状部１１ａの下面とで、化粧用パフ２の塗布部２１を挟み込むことにより、化粧用パフ２をハンドル部３に固定する場合の例について説明した。すなわち、上記第１及び第２の実施形態では、請求項における「挟み込み機構」が、パフ固定板１１を備え、ハンドル部３の上面３ａと、パフ固定板１１の板状部１１ａとで、塗布部２１を挟み込んだ上で、パフ固定板１１の係合凹部１１ｄと、ハンドル部３の係合凸部３ｂとを係合させることにより、化粧用パフ２をハンドル部３に固定する機構である場合の例を示した。けれども、本発明における「挟み込み機構」は、これに限られない。
【００７６】
変形例２−１：ねじ（スクリュー）式機構
例えば、上記の「挟み込み機構」は、図３０に示すように、化粧用パフ２に取り付けたパフ固定板７１の端部外周に雄ねじ（スクリュー）７２を設けると共に、ハンドル部７３の内部に雌ねじを７４を設けて、雄ねじ７２を雌ねじを７４に螺入する（例えば、ねじを半回転させる）ことにより、化粧用パフ２をハンドル部７３に固定する機構であってもよい。
【００７７】
変形例２−２：マグネット式機構
また、上記の「挟み込み機構」は、例えば、図３１に示すように、化粧用パフ２に取り付けたパフ固定板７５の底にスチール板７６を取り付けると共に、ハンドル部７８の上面７８ａにマグネット７９を取り付けて、強磁性体であるスチール板７６とマグネット７９との間に生じる磁力（引力）により、スチール板７６が取り付けられた化粧用パフ２を、マグネット７９が取り付けられたハンドル部７８に固定する機構であってもよい。
【００７８】
変形例２−３：面ファスナー式機構
上記の「挟み込み機構」は、例えば、図３２に示すように、化粧用パフ２に取り付けられたパフ固定板８１の底と、ハンドル部８３の上面８３ａとに、それぞれ、面ファスナー８２ａと、面ファスナー８２ｂとを粘着剤等により貼り付けた上で、化粧用パフ２側の面ファスナー８２ａを、ハンドル部８３側の面ファスナー８２ｂに押し付けて貼り付けることにより、化粧用パフ２をハンドル部８３に固定する機構であってもよい。
【００７９】
変形例２−４：嵌合式機構
上記の「挟み込み機構」は、例えば、図３３（ａ）（ｂ）に示すように、パフ固定板８５の下端部に取り付けられたパフ座８６の内部に穴８６ａと環状凹部８６ｂを設けると共に、ハンドル部８８の上部にリング爪８８ｃを設けて、ハンドル部８８のリング爪８８ｃを、パフ座８６の穴８６ａに嵌入させて環状凹部８６ｂに係合させることにより、化粧用パフ２をハンドル部８８に固定する機構であってもよい。
【００８０】
また、上記の「挟み込み機構」は、例えば、図３４（ａ）（ｂ）に示すように、パフ固定板８５の下部の外周面にリング爪８５ａを設けると共に、ハンドル部８８の内部の穴８８ａの内周面に環状凹部８８ｂを設けて、パフ固定板８５のリング爪８５ａを、ハンドル部８８の穴８８ａに嵌入させて環状凹部８８ｂに係合させることにより、化粧用パフ２をハンドル部８８に固定する機構であってもよい。
【００８１】
変形例２−５：スリット爪式機構
上記の「挟み込み機構」は、例えば、図３５に示すように、パフ固定板９０の下端側に設けられた円筒部９１にスリット爪９２を設けると共に、図３６（ａ）（ｂ）（ｃ）に示すように、ハンドル部９３の穴部９３ｃの内部に、スリット爪９２の挿抜用の凹部９３ｄとクリック溝９３ｅとを設けたものであってもよい。この機構の場合、ユーザは、まず、図３６（ａ）に示すように、パフ固定板９０のスリット爪９２の位置を、ハンドル部９３の凹部９３ｄの位置に合わせた上で、化粧用パフ２を取り付けたパフ固定板９０の円筒部９１を、ハンドル部９３の穴部９３ｃに挿入する。そして、図３６（ｂ）（ｃ）に示すように、円筒部９１を半回転させて、円筒部９１のスリット爪９２をハンドル部９３のクリック溝９３ｅに係合させることにより、化粧用パフ２をハンドル部９３に固定させる。
【００８２】
上記の変形例２−１乃至２−５の構成によれば、上記の各実施形態と比べて、「挟み込み機構」の構造を簡単にすることができる。
【００８３】
変形例３：
また、上記の各実施形態では、化粧用パフ２（塗布部２１）が、しずく型の形状である場合の例について説明した。けれども、化粧用パフ２（塗布部２１）の形状は、これに限られず、例えば、丸型、ハート型、三角形型、四角形（ひし形）型、五角形型、月型、星型、ひょうたん型、葉型、ハウス型、花びら型等の形状であってもよい。また、これらが、平面的な形状になったものであってもよいし、立体的な形状になったものであってもよい。
【００８４】
なお、化粧用パフ２（塗布部２１）の形状に合わせて、キャップ部やハンドル部の上面の形状も変更することが望ましい。例えば、図３７（ａ）、（ｂ）は、化粧用パフ２（塗布部２１）の形状を丸型にした場合におけるハンドル付き化粧用パフ１０１を示す。この場合には、図３７（ａ）、（ｂ）に示すように、化粧用パフ２（塗布部２１）の形状に合わせて、キャップ部１０４の形状、及びハンドル部１０３の上面の形状も、丸型になっている。また、図３８（ａ）、（ｂ）は、化粧用パフ２（塗布部２１）の形状をハート型にした場合におけるハンドル付き化粧用パフ１１１を示す。この場合には、図３８（ａ）、（ｂ）に示すように、化粧用パフ２（塗布部２１）の形状に合わせて、キャップ部１１４の形状、及びハンドル部１１３の上面の形状も、ハート型になっている。
【００８５】
ただし、上記第１及び第２の実施形態のように、ハンドル部の土台の部分の外形ＯＬ１（の面積）が、化粧用パフ２の外形ＯＬ２（の面積）よりも小さい場合には、化粧用パフ２（塗布部２１）の形状に合わせて、ハンドル部の上面の形状を変更する必要はない。この場合には、例えば、図８等に示されるように、化粧用パフ２（塗布部２１）の形状がしずく型の形状であっても、ハンドル部の上面（図１４中の３ａに相当）の形状は、円形等の形状であってもよい。
【００８６】
変形例４：
また、上記の各実施形態では、化粧用パフ２が、袋状の塗布部２１と、この塗布部２１の中芯２２とを備え、中芯２２を袋状の塗布部２１から取り外し可能な構成である場合の例を示したが、化粧用パフ２は、一体型のものであってもよく、例えば、一体に成形された樹脂製のパフであってもよい。
【００８７】
変形例５：
また、上記の各実施形態では、化粧用パフの一端（先端２ａ）のみが、尖った形状である場合の例を示したが、化粧用パフの複数の端部の形状を尖った形状にしてもよい。特に、塗布部の表面の領域を複数の色の領域に分けて、使用目的の異なる複数の化粧料毎に、塗布に利用する領域の色を変えるようにした場合には、塗布部における各色の領域毎に、尖った形状の端部を設けることが望ましい。
【符号の説明】
【００８８】
１，３１、４１、１０１，１１１  ハンドル付き化粧用パフ
２    化粧用パフ
２ａ  先端（一端）
３、４３，７３、７８、８３、８８、９３、１０３、１１３    ハンドル部
３ａ  上面
３ｂ  係合凸部（「係合構造」の一部）
３ｃ  穴部
４、３４、４４、１０４、１１４  キャップ部
４ａ  左キャップ（第一のキャップ）
４ｂ  右キャップ（第二のキャップ）
７    ハンドル蓋部
１１  パフ固定板
１１ａ  板状部
１１ｄ  係合凹部（「係合構造」の一部）
１２  挟み込み機構
２１  塗布部
２２  中芯
２４  交換用パフ
２５  交換用塗布部
３４ａ  上側キャップ
３４ｂ  下側キャップ
ＯＬ１  外形（ハンドル部の上面の外形）
ＯＬ２  外形（化粧用パフの外形）
【図１】
2020027255.tif 000003
【図２】
2020027255.tif 000004
【図３】
2020027255.tif 000005
【図４】
2020027255.tif 000006
【図５】
2020027255.tif 000007
【図６】
2020027255.tif 000008
【図７】
2020027255.tif 000009
【図８】
2020027255.tif 000010
【図９】
2020027255.tif 000011
【図１０】
2020027255.tif 000012
【図１１】
2020027255.tif 000013
【図１２】
2020027255.tif 000014
【図１３】
2020027255.tif 000015
【図１４】
2020027255.tif 000016
【図１５】
2020027255.tif 000017
【図１６】
2020027255.tif 000018
【図１７】
2020027255.tif 000019
【図１８】
2020027255.tif 000020
【図１９】
2020027255.tif 000021
【図２０】
2020027255.tif 000022
【図２１】
2020027255.tif 000023
【図２２】
2020027255.tif 000024
【図２３】
2020027255.tif 000025
【図２４】
2020027255.tif 000026
【図２５】
2020027255.tif 000027
【図２６】
2020027255.tif 000028
【図２７】
2020027255.tif 000029
【図２８】
2020027255.tif 000030
【図２９】
2020027255.tif 000031
【図３０】
2020027255.tif 000032
【図３１】
2020027255.tif 000033
【図３２】
2020027255.tif 000034
【図３３】
2020027255.tif 000035
【図３４】
2020027255.tif 000036
【図３５】
2020027255.tif 000037
【図３６】
2020027255.tif 000038
【図３７】
2020027255.tif 000039
【図３８】
2020027255.tif 000040
【国際調査報告】
2020027255.tif 000041
2020027255.tif 000042
2020027255.tif 000043
2020027255.tif 000044